(57)【要約】【課題】  酸化皮膜によって生じる接触抵抗の増大を防止し、安定した電源供給を可能としながら、省スペースで電池交換容易な電池収納部を提供するものである。また、そのような電池収納部を備えた電子機器を提供する。【解決手段】  電池収納部は複数の電池を直列に接続した直列電池が電池室１０１に収納されてなり、電池室１０１には直列電池の両端の電極と接しバネ性を有する一方の端子と他方の端子とが対峙して配置されているとともに、直列電池を構成する電池の間に中間端子５２１，５２２が電池の長さ方向へ揺動可能に係止しており、直列電池の両端は一方の端子と他方の端子とで付勢されている。よって電池収納部は、酸化皮膜によって生じる接触抵抗の増大を防止し、安定した電源供給を可能としながら、省スペースで電池交換容易なものにできる。また電池収納部を備えた電子機器は、常に安定した動作を行うことができ、小型にできる。【選択図】図５
2010232003.tif 000002
【特許請求の範囲】
【請求項１】
複数の電池を直列に接続した直列電池が電池室に収納されてなる電池収納部において、
電池室には、直列電池の両端の電極と接しバネ性を有する一方の端子と他方の端子とが対峙して配置されているとともに、直列電池を構成する電池の間に中間端子が電池の長さ方向へ揺動可能に係止しており、
直列電池の両端は、一方の端子と他方の端子とで付勢されていることを特徴とする電池収納部
【請求項２】
請求項１に記載の電池収納部において、
前記電池室は、ケースと電池蓋とで形成され、
前記電池室には、一方の端子と他方の端子とがケースと電池蓋とに対峙して配置されているとともに、複数の電池を直列に接続した直列電池を保持する電池ホルダが収納され、
電池ホルダには、電池を保持するための保持ツメ、一方の仕切り部、および他方の仕切り部が形成されているとともに、直列電池を構成する電池の間に中間端子が電池の長さ方向へ揺動可能に係止しており、
中間端子は針金からなることを特徴とする電池収納部
【請求項３】
請求項２に記載の電池収納部において、
中間端子には、電池同士と接するＵ字状部が形成されていることを特徴とする電池収納部
【請求項４】
請求項３に記載の電池収納部において、
ケースには、電池蓋と対向する平面の一部が突出して逆向き防止用突出部が設けられ、
電池ホルダには、基板の一角を切欠いて逆向き防止用切欠部が形成され、
電池ホルダは、逆向き防止用突出部と逆向き防止用切欠部とが噛合いながら前記電池室に収納されることで、前記電池室に対する電池ホルダの上下方向の向きの誤りを防止されることを特徴とする電池収納部
【請求項５】
請求項３乃至４のいずれかに記載の電池収納部において、
ケースには、前記電池室の長手方向の内壁に電池ホルダの収納位置を確定するガイド用突出部が形成され、
電池ホルダの他方の仕切り部には、電池ホルダの収納方向を決定するための舌片が形成され、
電池ホルダは、舌片がガイド用突出部の端部を覆いながら前記電池室に収納されることで、前記電池室に対する電池の長さ方向の向きの誤りを防止されることを特徴とする電池収納部
【請求項６】
請求項１乃至５のいずれかに記載された電池収納部を備えたことを特徴とする電子機器。
【請求項７】
複数の電池を直列に接続した直列電池を保持する電池ホルダにおいて、
電池ホルダには、電池を保持するための保持ツメ、一方の仕切り部、および他方の仕切り部が形成されているとともに、直列電池を構成する電池の間に中間端子が電池の長さ方向へ揺動可能に係止しており、
中間端子は針金からなることを特徴とする電池ホルダ
【請求項８】
請求項７に記載の電池ホルダにおいて、
中間端子には、電池同士と接するＵ字状部が形成されていることを特徴とする電池ホルダ
【発明の詳細な説明】
【技術分野】
【０００１】
本発明は、携帯用の電子機器に電池を収納するための構造に関する。詳しくは安定した電源供給を可能とし、省スペースで電池交換容易な電池収納部に関する。また、そのような電池収納部を備えた電子機器に関する。
【背景技術】
【０００２】
従来、携帯用等の電子機器は、駆動手段として電池（乾電池）を利用し、複数の電池を直列に接続して所望の電源電圧を確保している。
例えば２本の電池を直列で利用する場合は、一方の電池のプラス電極と他方の電池のマイナス電極とを接触させ、一方の電池のマイナス電極に接触させた金属端子と、他方の電池のプラス電極に接触させた金属端子の各々を電子機器の電源端子に接続する。
このとき、電子機器に安定した電源供給をするには、電池の各接触部が電子機器に加わる振動や衝撃によって離れることなく接触していることが必要となる。
【０００３】
また、これら電池電極や金属端子は、時間放置しておくとその表面に酸化皮膜が形成し、これによって電池電極や金属端子の接触抵抗が増大する問題が起ることが知られている。
ただし、この問題は金属端子と電池電極の接触部よりも、電池電極同士の接触部に生じやすい傾向がある。その理由は、一般に用いられる金属端子の材質は電池電極の材質よりも硬いため、電池電極と金属端子の接触部にはこれらが互いに擦り合うことで酸化皮膜を除去するセルフクリーニング効果が得られるが、電池同士による同じ材質の接触部にはセルフクリーニング効果が期待できないためと考えられている。
【０００４】
特許文献１には、電池同士の接触をなくした電池収納部として、電池収納部の中間に突起部を設け、この突起部（壁）に中間電極を装着し、複数の電池を個々に保持することが開示されている。
【先行技術文献】
【特許文献】
【０００５】
【特許文献１】特開２００５−１７４６２８
【発明の概要】
【発明が解決しようとする課題】
【０００６】
しかしながら、このように電池と電池の間に突起部（壁）とコイル部を含む中間電極とを設けると、その分だけ電池収納スペースは大きくなり、これを備える電子機器は大型化して携帯しづらいものとなる。
さらに、各々の電池はコイル部を有する電極を用いて個別に付勢されているので、電池の装填および取外しの際は電池ごとにコイル部を縮める方向へ力をかける必要があり、電池交換がしづらくなる。
【０００７】
本発明は係る課題を解決して、酸化皮膜によって生じる接触抵抗の増大を防止し、安定した電源供給を可能としながら、省スペースで電池交換容易な電池収納部を提供するものである。また、そのような電池収納部を備えた電子機器を提供することを目的とする。
【課題を解決するための手段】
【０００８】
請求項１に記載された電池収納部は、
複数の電池を直列に接続した直列電池が電池室に収納されてなる電池収納部において、
電池室には、直列電池の両端の電極と接しバネ性を有する一方の端子と他方の端子とが対峙して配置されているとともに、直列電池を構成する電池の間に中間端子が電池の長さ方向へ揺動可能に係止しており、
直列電池の両端は、一方の端子と他方の端子とで付勢されていることを特徴としている。
【０００９】
請求項２に記載された電池収納部は、請求項１に記載の電池収納部において、
前記電池室は、ケースと電池蓋とで形成され、
前記電池室には、一方の端子と他方の端子とがケースと電池蓋とに対峙して配置されているとともに、複数の電池を直列に接続した直列電池を保持する電池ホルダが収納され、
電池ホルダには、電池を保持するための保持ツメ、一方の仕切り部、および他方の仕切り部が形成されているとともに、直列電池を構成する電池の間に中間端子が電池の長さ方向へ揺動可能に係止しており、
中間端子は針金からなることを特徴としている。
【００１０】
請求項３に記載された電池収納部は、請求項２に記載の電池収納部において、
中間端子には、電池同士と接するＵ字状部が形成されていることを特徴としている。
【００１１】
請求項４に記載された電池収納部は、請求項３に記載の電池収納部において、
ケースには、電池蓋と対向する平面の一部が突出して逆向き防止用突出部が設けられ、
電池ホルダには、基板の一角を切欠いて逆向き防止用切欠部が形成され、
電池ホルダは、逆向き防止用突出部と逆向き防止用切欠部とが噛合いながら前記電池室に収納されることで、前記電池室に対する電池ホルダの上下方向の向きの誤りを防止されることを特徴としている。
【００１２】
請求項５に記載された電池収納部は、請求項３乃至４のいずれかに記載の電池収納部において、
ケースには、前記電池室の長手方向の内壁に電池ホルダの収納位置を確定するガイド用突出部が形成され、
電池ホルダの他方の仕切り部には、電池ホルダの収納方向を決定するための舌片が形成され、
電池ホルダは、舌片がガイド用突出部の端部を覆いながら前記電池室に収納されることで、前記電池室に対する電池の長さ方向の向きの誤りを防止されることを特徴としている。
【００１３】
請求項６に記載された電子機器は、請求項１乃至５のいずれかに記載の電池収納部を備えたことを特徴としている。
【００１４】
請求項７に記載された電池ホルダは、
複数の電池を直列に接続した直列電池を保持する電池ホルダにおいて、
電池ホルダには、電池を保持するための保持ツメ、一方の仕切り部、および他方の仕切り部が形成されているとともに、直列電池を構成する電池の間に中間端子が電池の長さ方向へ揺動可能に係止しており、
中間端子は針金からなることを特徴としている。
【００１５】
請求項８に記載された電池ホルダは、請求項７に記載の電池ホルダにおいて、
中間端子には、電池同士と接するＵ字状部が形成されていることを特徴としている。
【発明の効果】
【００１６】
本発明の電池収納部は、電池と電池の間に針金からなる中間端子を設け、さらに直列に接続した電池の一方と他方の両方にバネ性をもつ金属端子を設けたことで、酸化皮膜によって生じる接触抵抗の増大を防止し、安定した電源供給を可能としながら、省スペースで電池交換容易なものにできる。
よって、本発明の電池収納部を備えた電子機器は、常に安定した動作を行うことができ、小型にできる。
【図面の簡単な説明】
【００１７】
【図１】本発明の電池収納部を備えた電子機器の正面外観図
【図２】本発明の電池収納部を備えた電子機器の側面外観図
【図３】図１のＡ−Ａ線の断面図
【図４】電池蓋２０を開けて電池ホルダ５０を取外した状態を示す断面図
【図５】電池室１０１の分解斜視図
【図６】電池ホルダ本体５１の外観図
【図７】中間端子５２１，５２２の第１の実施形態を示す図
【図８】中間端子５２１，５２２が変形する様子を示す図
【図９】中間端子５２１，５２２の第２の実施形態を示す図
【図１０】中間端子５２１，５２２の第３の実施形態を示す図
【図１１】図２のＣ−Ｃ線の断面図
【図１２】図１のＢ−Ｂ線の断面図
【図１３】図１２のＤ−Ｄ線およびＥ−Ｅ線の断面図
【図１４】図１の下から見た電池蓋２０を開いた状態を示す図
【発明を実施するための形態】
【００１８】
以下、本発明の実施例について図面を引用して説明する。なお、各図に共通の部分は同じ符号を使用している。
【００１９】
まず、図１、図２を用いて、本発明の電池収納部を備えた電子機器の一例を説明する。
図１は電子機器1の正面外観図であり、図２は図１の右側から見た側面外観図である。
【００２０】
電子機器１は、無線により車載用クレーンや無人搬送車等の各種産業機器を制御する無線制御システムの操作ユニットであり、操作者は、例えば一方の手で電池室１０１部分を握持しながらスイッチ４０のオン／オフを操作する。
スイッチ４０のオン／オフ情報は、電子機器１から送信され、例えば制御対象が車載用クレーンであるならばクレーンの前後の位置や傾きを制御する信号となる。
【００２１】
電子機器１はケース１０と電池蓋２０とで筐体を成すものであり、電池蓋２０は一端がケース１０に軸着し、他端にあるネジ２１によってケース１０に固定されている。このとき、ケース１０と電池蓋２０は防水性を保つように組合されている。
【００２２】
そして、電池蓋２０を含む略円筒状部分が本発明の電池収納部を成す電池室１０１となり、電池室１０１は、断面を楕円とした略円筒状を成すことで、操作者が握りやすくなっている。
また、電池は電子機器１を構成する部品のうちで比較的重い部品なので、電子機器１の重心は電池室１０１付近となる。よって、操作者は電子機器１の重心付近を握持することになるので、片手でも電子機器１の操作を安定して行うことができる。
なお、本発明の電池収納部は上記電子機器１の例に限らず、例えば懐中電灯など他の電池を駆動手段とする電子機器にも利用できる。
【００２３】
以下、電子機器１の電池室１０１の構造を説明しながら、本発明の電池収納部を説明する。
まず、図３、図４を用いて、電池室１０１の内部の概要を説明する。
図３は図１のＡ−Ａ線の断面図であり、電池室１０１の主な構成を示す図である。ただし、電池室以外の部位については省略してある。
図４は電池蓋２０を開けて電池ホルダ５０を取外した状態を示す断面図であり、図３と同じく図１のＡ−Ａ線を断面としている。
【００２４】
電池室１０１の内部には、端子板３０が電池蓋２０と対向してケース１０に取付けられ、４本の電池を２本ずつ２列に並べて保持した電池ホルダ５０が端子板３０と電池蓋２０との間に収納されている。
また、電池ホルダ５０は、ネジ２１を緩めたあと電池蓋２０を開けることで、電池室１０１の外へ取出すことができる。
【００２５】
次に、電池室１０１を構成するこれら端子板３０、電池蓋２０、電池ホルダ５０の構造について順に説明する。
図５は電池室１０１の分解斜視図である。なお、ケース１０は省略してある。
【００２６】
まず、端子板３０について説明する。
３１１，３１２は端子板３０に取付けられたコイル状端子である。
コイル状端子３１１，３１２の各々は、例えば直径０．６ｍｍのニッケルメッキＳＵＳ鋼線を用いた一本の針金からなり、一端がコイル状に加工されてバネ性を有し、他端が電子機器１の電源端子に接続される。
このとき、コイル状端子３１２が電源のプラス電圧端子に、コイル状端子３１１が電源のマイナス電圧端子になり、電子機器１は電源供給される。
また、３０１は端子板３０に設けられた逆向き防止用突出部であり、コイル状端子３１１，３１２を取付ける平面の外延の一部分が電池蓋２０の方向へ向けて突出して成している。
【００２７】
次に、電池蓋２０について説明する。
電池蓋２０には、例えばりん青銅にニッケルメッキを施したコ字状の金属板からなり、先端がバネ性を有するように曲げ加工された板バネ端子２０１が設けられている。このとき、板バネ端子２０１の各先端は２つのコイル状端子３１１，３１２の各々の一端と同一線上でバネ性を示すように対峙している。
【００２８】
なお、これらコイル状端子３１１，３１２と板バネ端子２０１は、コイル状端子３１１，３１２が電池蓋２０に配置され、板バネ端子２０１が端子板３０に配置されても良い。
【００２９】
次に、電池ホルダ５０を説明する。
電池ホルダ５０は、電池ホルダ本体５１と中間端子５２１，５２２から構成される。
【００３０】
まず、図６を用いて電池ホルダ本体５１の形状を説明する。
図６は電池ホルダ本体５１の平面図であり、図６（ａ）は図５の上側から、図６（ｂ）は図５の右手前側から、図６（ｃ）は図５の左手前側から、図６（ｄ）は図５の右奥側から電池ホルダ本体５１を見た図である。
電池ホルダ本体５１には、基板５１１を中心にして壁５１２、保持ツメ５１３、係止穴５１４、溝５１５、仕切り部５１６，５１７、電池取出し用切欠部５１９が形成されており、さらに仕切り部５１７に舌片５１７ａ，５１７ｂが形成されている。以下にその形状を詳しく説明する。
【００３１】
まず、電池ホルダ本体５１の中心には、骨格を成す略長方形の基板５１１がある。
図６（ａ）の上側を電池ホルダの上面、ならびに下側を電池ホルダの下面とする場合に、基板５１１の上面には、２枚の壁５１２が基板５１１の長手方向と平行で、かつ基板５１１の平面と直交して延伸し、さらにその壁５１２の一部が延びて内側に湾曲し、電池を保持するための保持ツメ５１３が形成されている。
同様にして、基板５１１の上面の反対側にある下面にも２枚の壁５１２が延伸し、保持ツメ５１３が形成されている。
つまり、保持ツメ５１３はひとつの電池あたり２対となる計４個が形成されており、基板５１１の上面と下面に各々４対ずつとで合わせて８対となる計１６個が形成されている。
【００３２】
そして、基板５１１の上面と下面に２枚ずつある壁５１２には、電池をつまむための電池取出し用切欠部５１９が形成されている。
電池取出し用切欠部５１９は１本の電池あたり１対となる計２個が形成されており、基板５１１の上面と下面に各々２対ずつとで合わせて４対となる計８個が形成されている。
【００３３】
そして、基板５１１の上面にある２枚の壁５１２の各々には、基板５１１の長手方向のほぼ中間に、後で述べる中間端子５２１，５２２を係止するための係止穴５１４と、中間端子５２１，５２２の動きを規制するための溝５１５とが形成されている。
同様にして、基板５１１の下面にある２枚の壁５１２にも係止穴５１４と溝５１５とが形成されている。
つまり、係止穴５１４と溝５１５の各々は、基板５１１の上面と下面とで合わせて２対となる計４個ずつが形成されている。
【００３４】
さらに、基板５１１には、一端に仕切り部５１６が形成され、他端に仕切り部５１７が形成されている。
仕切り部５１６と仕切り部５１７は、これらの間の距離を電池２本分の長さより長い距離に設定され、電池の長さ方向の動きを規制している。
【００３５】
さらに、電池ホルダ本体５１の基板５１１は、一方の端部のひとつの角を矩形に切り欠いて逆向き防止用切欠部５１８が形成され、仕切り部５１７の外側の端部は、図６（ｄ）の左右に延伸して舌片５１７ａ，５１７ｂが形成されている。
これら逆向き防止用切欠部５１８や舌片５１７ａ，５１７ｂによって、電池ホルダ５０は常に正しい向きで電池室１０１に収納される。その仕組みについては後で説明する。
【００３６】
次に、中間端子５２１，５２２の形状を説明する。
図７（ａ）は中間端子５２１，５２２の第１の実施形態の平面図であり、図７（ｂ）は図７（ａ）のＦ−Ｆ矢印方向に見た断面図である。
中間端子５２１，５２２は、１本の針金をひとつの平面上で曲げて作られ、まず針金をコ字状に曲げ、さらにその中央部分を中心に向かって略Ｕ字状に曲げてＵ字状部５２ｂが形成され、さらに両方の端部の各々を中心側へＬ字状に曲げて係止部５２ａが形成されている。
なお、係止部５２ａは、中間端子５２１，５２２を取付ける相手の形状の応じて、中心側と逆の方向へＬ字状に曲げて形成しても良い。
また、中間端子５２１，５２２の針金は、先に述べたコイル状端子３１１，３１２と同じ形状及び材質の針金を用いることができる。
以上のとおり、中間端子５２１，５２２は１本の針金を曲げるだけで容易に作ることができる。
【００３７】
次に、これら電池ホルダ本体５１と中間端子５２１，５２２を組立てて電池ホルダ５０とする過程を説明する。
【００３８】
まず、中間端子５２１は、次のようにして電池ホルダ本体５１の上面に取付けられる。
中間端子５２１は全体に弾性を有しているので、２つの係止部５２ａの各々を外方に開き、係止部５２ａを電池ホルダ本体５１の上面側にある係止穴５１４の位置に合せて中間端子５２１を通常の状態に戻せば、２つの係止部５２ａの各々は２つの係止穴５１４の各々に差込まれ、中間端子５２１は電池ホルダ本体５１に係止される。
このとき中間端子５２１は、電池ホルダ本体５１の上面にある２つの溝５１５に挟まり、溝５１５の幅を中間端子５２１を構成する針金の直径より大きく設定することで、溝５１５の幅の範囲でいわゆるガタを持つ。
また、係止穴５１４の大きさを中間端子５１１を構成する針金の直径より大きくしているので、係止部５２ａを係止穴５１４へ挿入することは容易にできる。
このようにして、中間端子５２１は係止部５２ａを回動中心として電池ホルダ本体５１へ揺動可能に係止される。
【００３９】
同様にして、中間端子５２２は、電池ホルダ本体５１の下面側に取付けられ、係止部５２ａを回動中心として電池ホルダ本体５１へ揺動可能に係止される。
【００４０】
以上のとおり、電池ホルダ本体５１への中間端子５２１，５２２の取付けは、中間端子５２１，５２２の弾性を利用して容易にできる。
また、中間端子５２１，５２２は電池ホルダ本体５１に係止されているので、組立て後に外れることはない。よって、電池ホルダ５０は取扱いやすいものとなる。
【００４１】
上述の電池ホルダ５０には、次のようにして４本の電池が装填される。
図５を用いて、電池５４１，５４２，５４３，５４４が電池ホルダ５０に装填される様子を説明する。
【００４２】
電池５４１，５４２，５４３，５４４の各電池は、電池ホルダ本体５１の表面に記されている正しい電池の向き（極性）に従って、次のようにして装填される。
まず、電池５４１，５４２は、図５の左奥側から電池ホルダ本体５１の所定の位置（左側に電池５４１、右側に電池５４２）に押し込むことで、弾性を持つ保持ツメ５１３を開きながら電池ホルダ本体５１に装填される。
このとき、中間端子５２１のＵ字状部５２ｂは電池５４１のプラス電極と電池５４２のマイナス電極とで挟まれ、電池５４１と電池５４２は中間端子５２１を介した直列電池としてふるまう。
【００４３】
同様に、電池５４３，５４４は、図５の右手前側から電池ホルダ本体５１の所定の位置（左側に電池５４４、右側に電池５４３）に押し込むことで、弾性を持つ保持ツメ５１３を開きながら電池ホルダ本体５１に装填される。
このとき、中間端子５２２のＵ字状部５２ｂは電池５４３のプラス電極と電池５４４のマイナス電極とで挟まれ、電池５４３と電池５４４は中間端子５２２を介した直列電池としてふるまう。
【００４４】
装填された電池５４１，５４２，５４３，５４４は、仕切り部５１６から仕切り部５１７までの距離が電池２本分の長さより長い距離に設定されているので、保持ツメ５１３によって電池の長さ方向へ動くように保持される。
【００４５】
なお、装填された電池５４１，５４２，５４３，５４４を電池ホルダ本体５１から取外すときは、壁５１２の各電池の両脇部分に設けた電池取出し用切欠部５１９に指を入れて電池をつまみ、装填した方向と逆方向に引くことで容易に取外せる。
【００４６】
以上のとおり、電池ホルダ５０は４本の電池を電池の長さ方向に２本ずつ、基板５１１の上下の面に２列に並べて保持し、電池ホルダ５０への電池の装填および取外しは容易に行うことができる。
さらに、電池ホルダ５０は電池室１０１に収納され、電池室１０１は電子機器１の駆動手段である電源となり、電源電流はマイナス電圧端子となるコイル状端子３１１→電池５４１→中間端子５２１→電池５４２→板バネ端子２０１→電池５４３→中間端子５２２→電池５４４→プラス電圧端子となるコイル状端子３１２の順に各部が接触する経路で流れる。
【００４７】
このとき、中間端子５２１を挟んだ電池５４１と電池５４２の直列電池は、一方にあるコイル状端子３１１と他方にある板バネ端子２０１とで両端を付勢され、また同様に、中間端子５２２を挟んだ電池５４３と電池５４４の直列電池は、一方にあるコイル状端子３１２と他方にある板バネ端子２０１とで両端を付勢される。
よって、電子機器１が動いた場合に生じる直列電池の長さ方向の動きは、対峙するコイル状端子３１１と板バネ端子２０１のそれぞれ、および対峙するコイル状端子３１２と板バネ端子２０１のそれぞれが相反して伸び縮みして吸収される。
【００４８】
また、中間端子５２１，５２２は、直列電池の長さ方向の動きに対して以下のように変形し、電池の動きに追従する。
中間端子５２１と中間端子５２２は同じ形状なので、例として中間端子５２１が変形する様子を説明する。
図８は電池５４１と電池５４２と中間端子５２１を図５の左奥側から見た図であり、図８（ａ）は平常時を示し、図８（ｂ）は電池５４１，５４２が電池ホルダ本体５１の一方の側に動いた場合を示し、図８（ｃ）は電池５４１，５４２が電池ホルダ本体５１の他方の側に動いた場合を示す。
図８のとおり、電池５４１，５４２が動いた場合でも、針金からなる中間端子５２１は全体に弾性を有しているので、そのＵ字状部５１ｃは常に電池電極の面と平行に位置し、電池の動きに追従するように変形する。
【００４９】
以上のとおり、電池室１０１は、直列電池の両端をバネ性を有する端子で付勢し、直列電池が電池の長さ方向へ動くように保持されているので、以下の効果が得られる。
まず、電源電流が流れるコイル状端子３１１→電池５４１→中間端子５２１→電池５４２→板バネ端子２０１の経路、および板バネ端子２０１→電池５４３→中間端子５２２→電池５４４→コイル状端子３１２の経路において、電子機器１に振動や衝撃が加わっても直列電池の動きを吸収できるので電流が途切れないように各部の接触を保つことができる。
ここで、直列電池の一端のみをバネ性のある端子で付勢した場合は、直列電池が動くと電源電流が途切れてしまうので直列電池が動かないように端子のバネ圧を高める必要がある。しかし本発明の電池室１０１は直列電池を動くように保持するので端子のバネ圧を高める必要がない。よって本発明の電池室１０１は、電池に無理な力をかけないので電池を故障させることがないとともに、電池蓋２０を閉めやすくできるので電池交換を容易にできる。
【００５０】
またこれに加えて電池室１０１は、直列電池を構成する電池の間に針金からなる中間端子５２１，５２２を配置することで、以下の効果が得られる。
中間端子５２１，５２２と電池電極との接触部は、直列電池が電池の長さ方向へ動くように保持されているので、中間端子５２１，５２２と電池電極が互いに擦り合うことによって酸化膜が除去されるセルフクリーニング効果が得られる。同様に直列電池の両端と各端子の接触部にもセルフクリーニング効果が得られるので、電池５４１，５４２，５４３，５４４はすべての電池電極でセルフクリーニング効果が得られる。よって電池室１０１は電池電極と端子の各接触部に接触抵抗が増大する問題が生じない。
このとき、直列に並べた電池と電池の間に中間端子５２１，５２２を挟んでも、電池間の距離は針金の直径分でしかない小さい距離ですむので、電池室１０１は省スペースなものにできる。
【００５１】
よって、電子機器１は常に安定した電源供給を受けられるとともに、小型にできる。
また、予備の電池ホルダ５０を用意し、電池ホルダ５０を交換することで複数の電池を一括して短時間に交換できるので、電子機器１は電池交換のために動作停止する時間を短くできる。
【００５２】
先に述べた電池ホルダ本体５１にある逆向き防止用切欠部５１８や舌片５１７ａ，５１７ｂによって、電池ホルダ５０は常に正しい向きで電池室１０１に収納される。その仕組みを以下に説明する。
【００５３】
まず、電池ホルダ５０の上下方向に着目して説明する。
図１１は図２のＣ−Ｃ線の断面図である。
凸形状である端子板３０の逆向き防止用突出部３０１は、電池室１０１に電池ホルダ５０を正しい向きで挿入されたとき、凹形状である電池ホルダ本体５１の逆向き防止用切欠部５１８と噛合う。
仮に、電池ホルダ５０を電池ホルダ５０の上下方向に対して逆向きで電池室１０１に挿入したとき、逆向き防止用突出部３０１は電池ホルダ本体５１の一端の角にぶつかるので、電池ホルダ５０は電池室１０１に収納されない。
つまり、電池ホルダ５０は、電池ホルダ５０の上下方向を誤って電池室１０１に収納されることはない。
【００５４】
次に、電池の長さ方向に着目して説明する。
図１２は図１のＢ−Ｂ線の断面を示した図である。ただし、電池ホルダ５０は省略してケース１０のみの断面を示してある。
図１３は図１２のＤ−Ｄ線およびＥ−Ｅ線の断面を示した図である。ただし、電池蓋２０と電池ホルダ５０は省略して電池蓋２０付近のケース１０のみの断面を示してある。
１０２ａ，１０２ｂはケース１０の内側に突設されたレール状のガイド用突出部であり、ガイド用突出部１０２ａ，１０２ｂは図２のＤ−Ｄ線およびＥ−Ｅ線の位置の２箇所に設けられている。また、ガイド用突出部１０２ａ，１０２ｂは電池室１０１の奥から長手方向へ直線状に延伸し、電池蓋２０に接する手前まで設けられている。
ガイド用突出部１０２ａ，１０２ｂは、電池室１０１に電池ホルダ５０を収納する際に、電池ホルダ５０の動きを規制して収納位置をガイドする。
【００５５】
図１４は、図１の下から見た図であり、電池蓋２０を開いた状態の一部分を示している。
図１４のとおり、電池室１０１に電池ホルダ５０を正しい向きで挿入したとき、電池ホルダ本体５１の他方にある舌片５１７ａ，５１７ｂはガイド用突出部１０２ｂの端部を覆うこととなる。
仮に、電池ホルダ５０を電池の長さ方向に対して逆向きで電池室１０１に挿入したとき、ガイド用突出部１０２ａまたはガイド用突出部１０２ｂのいずれかの端部は舌片５１７ａ，５１７ｂにぶつかるので、電池ホルダ５０は電池室１０１に収納されない。
つまり、電池ホルダ５０は、電池ホルダ５０の電池の長さ方向を誤って電池室１０１に収納されることはない。
【００５６】
尚、電池ホルダ本体５１の舌片５１７ａ，５１７ｂはいずれか片方のみであってもよい。
また、ガイド用突出部１０２ａ，１０２ｂはレール状に連続していなくてもよい。
【００５７】
以上のとおり、電池ホルダ５０は、誤った向きで電池室１０１に収納されることはなく、常に正しい向きでのみ電池室１０１に収納されるので、電子機器１への逆電圧の印加を防止できる。
よって、本発明の電池収納部を備えた電子機器は、常に正しく電源供給されるとともに、電池交換を安全に行うことができる。
【００５８】
次に、中間端子５２１，５２２の別の実施形態を説明する。
図９は中間端子５２１，５２２の第２の実施形態であり、中央部分にＵ字状部５２ｂを持たないので、第１の実施形態より容易に加工できる。
【００５９】
図１０は中間端子５２１，５２２の第３の実施形態であり、第２の実施形態よりさらに容易に加工可能な例である。
第３の実施形態は、電池ホルダ本体５１の係止穴５１４に圧入するなど、係止部５２ａのみで中間端子５２１，５２２を電池ホルダ本体５１へ固定できる場合に使用するものであり、先端のＬ字状に曲げてなるＬ字状部５２ｃが電池の電極と接する。
【００６０】
次に、電池ホルダ５０の別の実施形態を説明する。
上記実施形態の電池ホルダ５０は、４本の電池を電池の長さ方向に２本ずつ、基板５１１の上下の面に２列に並べて保持したが、別の実施形態として４本の電池を電池ホルダ本体５１の基板５１１の上面のみに、例えば電池の長さ方向に２本ずつ２列に並べて保持しても良い。
以下に電池ホルダ５０の別の実施形態について説明する。
電池ホルダ本体５１には、基板５１１の上面のみに保持ツメ５１３を形成し、各列の電池と電池の間に中間端子５２１，５２２のそれぞれを配置する。
またこの場合は、電池室１０１の構造を、例えば図１２に相当する断面が下側を平らにした略半円形の上下非対称で、ガイド用突出部１０２ａ，１０２ｂの位置を下側に寄せることで、電池ホルダ５０は誤った向きで電池室１０１に収納されることを防げる。
【００６１】
次に、電池室１０１の別の実施形態を説明する。
上記実施形態の電池室１０１は、ケース１０と電池蓋２０とで形成され、バネ性を有する一方の端子と他方の端子とがケース１０と電池蓋２０とに対峙して配置され、電池を保持した電池ホルダ５０が端子板３０と電池蓋２０との間に収納されていたが、別の実施形態としてケースのみにバネ性を有する一方の端子と他方の端子を配置し、一方の端子と他方の端子の間に電池を装填した後、電池蓋を用いて電池室に蓋をしても良い。
以下に電池室１０１の別の実施形態について、２本の電池を直列に収納する場合を例にして説明する。
【００６２】
電池室内のケースには、バネ性を有する一方の端子と他方の端子が電池室の長手方向の同一線上でバネ性を示すように対峙して配置され、電池室の長手方向のほぼ中間に係止穴が形成されている。
中間端子５２１は、係止部５２ａが係止穴に差込まれて、係止部５２ａを回動中心としてケースへ揺動可能に係止される。
次に、２本の電池は中間端子５２１を挟みながらバネ性を有する一方の端子と他方の端子の間に装填され、中間端子５２１を介した直列電池としてふるまい、その直列電池の両端はバネ性を有する端子で付勢される。
そして電池室は、電池蓋をケースに取付けることで蓋をされる。
以上のとおり、本実施形態は、電池ホルダ５０を用いずに電池を収納できるので、さらに省スペースなものにできる。
【００６３】
以上説明したとおり、本発明の電池収納部は、酸化皮膜によって生じる接触抵抗の増大を防止し、安定した電源供給を可能としながら、省スペースで電池交換容易なものにできる。
よって、本発明の電池収納部を備えた電子機器は、常に安定した動作を行うことができ、小型にできる。
【符号の説明】
【００６４】
１  電子機器
１０  ケース
１０１  電池室
１０２ａ，１０２ｂ  ガイド用突出部
２０  電池蓋
２０１  板バネ端子
２１  ネジ
３０  端子板
３０１  逆向き防止用突出部
３１１，３１２  コイル状端子
４０  スイッチ
５０  電池ホルダ
５１  電池ホルダ本体
５１１  基板
５１２  壁
５１３  保持ツメ
５１４  係止穴
５１５  溝
５１６，５１７  仕切り部
５１７ａ，５１７ｂ  舌片
５１８  逆向き防止用切欠部
５１９  電池取出し用切欠部
５２１，５２２  中間端子
５２ａ  係止部
５２ｂ  Ｕ字状部
５２ｃ  Ｌ字状部
５４１，５４２，５４３，５４４  電池
【図１】
2010232003.tif 000003
【図２】
2010232003.tif 000004
【図３】
2010232003.tif 000005
【図４】
2010232003.tif 000006
【図５】
2010232003.tif 000007
【図６】
2010232003.tif 000008
【図７】
2010232003.tif 000009
【図８】
2010232003.tif 000010
【図９】
2010232003.tif 000011
【図１０】
2010232003.tif 000012
【図１１】
2010232003.tif 000013
【図１２】
2010232003.tif 000014
【図１３】
2010232003.tif 000015
【図１４】
2010232003.tif 000016